(57)【要約】【課題】２色印刷機能を選択して安価に原稿の印刷・複写処理を行なっても、スタンプ機能を利用したためにフルカラー印刷のコストになってしまうことを回避しつつフルカラー印刷と同様に原稿から特定画像を際立たせること。【解決手段】原稿画像を２色で印刷する２色印刷機能と、原稿画像に特定画像を加えて印刷するスタンプ機能と、を備えており、原稿画像および特定画像を２色印刷に選択された色材で印刷処理する画像形成部と、その印刷処理の前に原稿画像と異なる色で特定画像を印刷するようにスタンプ色を設定して印刷情報に付加しその特定画像を原稿画像から際立たせる割込処理を行なう制御部と、を有する。【選択図】図４
2012201084.tif 000002
【特許請求の範囲】
【請求項１】
原稿画像を２色で印刷する２色印刷手段と、
前記２色での印刷の際に前記原稿画像に特定画像を加えて印刷する特定画像追加手段と、
前記原稿画像および前記特定画像を２色で印刷する際に使用する色材による印刷処理を行なう印刷処理手段と、
前記印刷処理の前に前記原稿画像と異なる印刷情報を付加して前記特定画像を前記原稿画像から際立たせる割込処理を行なう割込処理手段と、
を有する画像形成装置。
【請求項２】
前記割込処理手段は、前記原稿画像を２色で印刷する際に使用する色材で発色可能な色領域から前記特定画像で使用する色を選択して印刷処理する前記印刷情報を付加して前記割込処理を行ない、
前記印刷処理手段は、前記特定画像を前記割込処理により指定された色で印刷処理する前記印刷情報を付加する前記割込処理を行なう請求項１に記載の画像形成装置。
【請求項３】
前記割込処理手段は、前記特定画像を印刷可能な前記原稿画像と異なる色を選択指定する前記割込処理を行ない、
前記印刷処理手段は、前記特定画像を前記割込処理により選択指定された色で印刷処理する前記印刷情報を付加する前記割込処理を行なう請求項２に記載の画像形成装置。
【請求項４】
前記割込処理手段は、前記特定画像を際立ち形状にする前記印刷情報を付加する前記割込処理を行ない、
前記印刷処理手段は、前記特定画像を前記割込処理を施された形状で印刷処理する前記印刷情報を付加する前記割込処理を行なう請求項１から３のいずれか1項に記載の画像形成装置。
【請求項５】
前記割込処理手段は、前記原稿画像を形成する色材の種別を取得して、黒以外の色材が１種の場合には前記特定画像を際立ち形状に変更する前記印刷情報を付加する前記割込処理を行ない、黒以外の色材が２種の場合には該２種の色材で前記原稿画像と異なる色で前記特定画像を印刷処理する前記印刷情報を付加する前記割込処理を行なう請求項１から４のいずれか１項に記載の画像形成装置。
【請求項６】
原稿画像を２色で印刷する２色印刷中に、前記原稿画像に特定画像を加えて印刷する特定画像追加処理の割込処理を行なう際に、前記特定画像の印刷処理の前に前記原稿画像と異なる印刷情報を付加して該特定画像を前記原稿画像から際立たせるステップを含んで、画像形成装置に搭載される演算処理部が読出処理可能に記憶部内に記憶される画像形成プログラム。
【発明の詳細な説明】
【技術分野】
【０００１】
本発明は、画像形成装置および画像形成プログラムに関する。
【背景技術】
【０００２】
オリジナルの原稿を印刷または複写する場合に、２色で用紙上に安価に画像形成する２色印刷機能や、その原稿の印刷物や複写物の取り扱いを指示する「重要」のような文字や「※」のような記号等を付加するスタンプ機能を備える画像形成装置が知られている（例えば、特許文献１）。
この特許文献１に記載の画像形成装置では、利用者が任意のスタンプ色で「重要」文字等を付加することを実現することにより、その文字等を原稿から際立たせて一目見るだけで、その印刷物や複写物の取り扱いを認識させることができる。
【先行技術文献】
【特許文献】
【０００３】
【特許文献１】特開２００２−２６２１０７号公報
【発明の概要】
【発明が解決しようとする課題】
【０００４】
本発明の目的は、２色印刷機能を選択して安価に原稿の印刷・複写処理を行なっても、スタンプ機能を利用したためにフルカラー印刷のコストになってしまうことを回避しつつフルカラー印刷と同様に原稿から特定画像を際立たせることである。
【課題を解決するための手段】
【０００５】
請求項１に記載の発明は、原稿画像を２色で印刷する２色印刷手段と、前記２色での印刷の際に前記原稿画像に特定画像を加えて印刷する特定画像追加手段と、前記原稿画像および前記特定画像を２色で印刷する際に使用する色材による印刷処理を行なう印刷処理手段と、前記印刷処理の前に前記原稿画像と異なる印刷情報を付加して前記特定画像を前記原稿画像から際立たせる割込処理を行なう割込処理手段と、を有する画像形成装置である。
【０００６】
請求項２に記載の発明は、請求項１に記載の画像形成装置において、前記割込処理手段は、前記原稿画像を２色で印刷する際に使用する色材で発色可能な色領域から前記特定画像で使用する色を選択して印刷処理する前記印刷情報を付加して前記割込処理を行ない、前記印刷処理手段は、前記特定画像を前記割込処理により指定された色で印刷処理する前記印刷情報を付加する前記割込処理を行なうものである。
【０００７】
請求項３に記載の発明は、請求項２に記載の画像形成装置において、前記割込処理手段は、前記特定画像を印刷可能な前記原稿画像と異なる色を選択指定する前記割込処理を行ない、前記印刷処理手段は、前記特定画像を前記割込処理により選択指定された色で印刷処理する前記印刷情報を付加する前記割込処理を行なうものである。
請求項４に記載の発明は、請求項１から３のいずれか1項に記載の画像形成装置において、前記割込処理手段は、前記特定画像を際立ち形状にする前記印刷情報を付加する前記割込処理を行ない、前記印刷処理手段は、前記特定画像を前記割込処理を施された形状で印刷処理する前記印刷情報を付加する前記割込処理を行なうものである。
【０００８】
請求項５に記載の発明は、請求項１から４のいずれか１項に記載の画像形成装置において、前記割込処理手段は、前記原稿画像を形成する色材の種別を取得して、黒以外の色材が１種の場合には前記特定画像を際立ち形状に変更する前記印刷情報を付加する前記割込処理を行ない、黒以外の色材が２種の場合には該２種の色材で前記原稿画像と異なる色で前記特定画像を印刷処理する前記印刷情報を付加する前記割込処理を行なうものである。
【０００９】
請求項６に記載の発明は、原稿画像を２色で印刷する２色印刷中に、前記原稿画像に特定画像を加えて印刷する特定画像追加処理の割込処理を行なう際に、前記特定画像の印刷処理の前に前記原稿画像と異なる印刷情報を付加して該特定画像を前記原稿画像から際立たせるステップを含んで、画像形成装置に搭載される演算処理部が読出処理可能に記憶部内に記憶される画像形成プログラムである。
【発明の効果】
【００１０】
請求項１，６の発明によれば、本構成を備えない場合に比べて、原稿画像中に特定画像が際立つようにして２色印刷することができる。
請求項２の発明によれば、原稿画像を２色で印刷する際に使用する色材で発色可能な色領域から特定画像で使用する色を選択して印刷処理する印刷情報を付加することができる。
【００１１】
請求項３の発明によれば、特定画像を該原稿画像とは異なる色で選択指定された色で印刷処理することができる。
請求項４の発明によれば、本構成を備えない場合に比べて、前記特定画像を際立ち形状にすることができる。
請求項５の発明によれば、原稿画像を形成する色材の種別が黒以外の色材が１種の場合には特定画像を際立ち形状に変更し、黒以外の色材が２種の場合には該２種の色材で原稿画像と異なる色で前記特定画像を印刷処理することができる。
【図面の簡単な説明】
【００１２】
【図１】本発明に係る画像形成プログラムを搭載する画像形成装置の一実施形態を示す図であり、その全体構成を示すブロック図である。
【図２】その実施形態における画像形成部の構成図である。
【図３】その実施形態による印刷物を示す図であり、（ａ）は本発明の適用対象の原稿画像のみの印刷物、（ｂ）は本発明を適用する前の印刷物、（ｃ）は本発明を適用した後の印刷物である。
【図４】その実施形態が使用する制御プログラムに基づいて実行される処理を説明する機能ブロック図である。
【図５】その実施形態の制御処理において色指定をしてもらう際のユーザインタフェイスの一例の設定パネルを示す図である。
【図６】その設定パネルにおいてより詳細な色指定をするドロップダウンメニューを示す説明図である。
【図７】その設定パネルでおいてより詳細な色指定をする指定パネル５５を示す説明図である。
【図８】その実施形態の制御処理において特定画像の形状にパターン処理を施す際に指定可能なパターンの一覧表である。
【図９】そのパターン形状の一例を示す図である。
【図１０】その実施形態の制御処理を説明するフローチャートである。
【発明を実施するための形態】
【００１３】
以下、図面を参照して、本発明の実施形態について詳細に説明する。図１〜図１０は本発明に係る画像形成プログラムを搭載する画像形成装置の一実施形態を示す図である。
図１において、本実施形態に係る画像形成装置１は、装置各部を集中的に制御する制御部２に対して、原稿用紙上に照射する読取光が原稿画像に応じて反射される反射光を光電変換して画像データを光学的に読み取る画像読取部３と、電子写真記録方式で記録用紙などの印刷媒体上に受け取った画像データに基づく画像形成を行う画像形成部（印刷処理部）４と、利用者が各種操作を行う操作パネル５と、画像データその他のデータが記憶される磁気記憶装置（ＨＤＤ）６と、ネットワーク８を介して外部のＰＣ（パーソナルコンピュータ）９と通信を行う通信Ｉ／Ｆ（インターフェイス）７と、が接続されている。
【００１４】
ここで、制御部２は、ＣＰＵ１１がＲＯＭ１３内に予め格納されている各種の制御プログラム１２に従って各種パラメータを利用しつつＲＡＭ１４を作業エリアとして使用し各種演算を行って装置各部を統括制御する。この制御部２は、操作パネル５からの複写要求に従って画像読取部３で読み取った原稿画像の画像データや、通信Ｉ／Ｆ６を介して外部ＰＣ９から印刷要求として受け取った原稿画像の画像データに基づいて画像形成部４により印刷記録媒体の記録用紙Ｐ上に画像形成させる。なお、制御プログラム１２は、画像形成装置１の製造当初からＲＯＭ１３にセットアップされていてもよいが、後発的に、制御プログラム１２が記憶されている記憶媒体から制御プログラム１２を読み取ってＨＤＤ５やＲＯＭ１３の一部をなす不揮発性メモリにセットアップし、あるいは、通信Ｉ／Ｆ７を介してインターネットなどの通信路から搬送波の形態でダウンロードしてＨＤＤ６やＲＯＭ１３の一部をなす不揮発性メモリにセットアップしてもよい。
【００１５】
また、画像形成部４は、タンデム方式の電子写真記録方式により記録用紙Ｐ上に原稿画像の画像データに基づくカラー画像を形成することができる装置であり、４個のドラム状の感光体４０１Ａ，４０１Ｂ，４０１Ｃ，４０１Ｄを中間転写ベルト４０７の周囲に配置して構成されている。それぞれの感光体４０１Ａ，４０１Ｂ，４０１Ｃ，４０１Ｄの周囲には電子写真プロセスで画像形成するための各種装置が配置されている。これらの装置の装置構成は、感光体４０１Ａ，４０１Ｂ，４０１Ｃ，４０１Ｄにおいて共通であるため、ここでは、代表して感光体４０１Ａの周囲の装置について説明する。
【００１６】
まず、感光体４０１Ａの周囲には、その感光体４０１Ａ表面を帯電させる帯電器４０２Ａと、その帯電された感光体４０１Ａ表面に画像データの静電潜像を形成する印字ヘッド４０３Ａと、その感光体４０１Ａ表面の静電潜像を現像材のトナーを選択付着させて現像する現像器４０４Ａと、そのトナー像が後述するように中間転写ベルト４０７に転写された後の感光体４０１Ａ表面の残留トナーを回収するクリーナ４０５Ａと、その残留トナーを回収した感光体４０１Ａ表面を一旦除電する除電器４０６Ａと、が配置されている。この感光体４０１Ａ上には、イエロー（Ｙ）の現像材でトナー画像が形成される（また、以下の説明で、感光体４０１というときは感光体４０１Ａ，４０１Ｂ，４０１Ｃ，４０１Ｄを示している。帯電器４０２Ａ、印字ヘッド４０３Ａ、現像器４０４Ａ、クリーナ４０５Ａ、除電器４０６Ａにおいても同様。）。同様に、感光体４０１Ｂ，４０１Ｃ，４０１Ｄ上には、それぞれマゼンタ（Ｍ）、シアン（Ｃ）、ブラック（Ｋ）のトナー画像が形成される。この感光体４０１表面の各トナー像は、レジセンサ４０８の検出信号に基づいて位置合わせをしながら中間転写ベルト４０７上に互いに重ね合わせて転写し、印刷媒体となる記録用紙Ｐに一括して転写した後に、用紙搬送ベルト４１０で定着器４１１に運んでその記録用紙Ｐ上に定着させて、カラー画像を形成する。ここで、画像形成装置１は、本発明における処理装置の一形態を実施するもので、電子写真記録方式に限るものではなく、原稿画像をその他の方式、例えば、インクジェット記録方式などで記録用紙Ｐなどの印刷媒体上に画像形成を行う画像形成装置に採用することができる。
【００１７】
この画像形成装置１は、制御部２が操作パネル５から複写要求を受け付けて画像読取部３が読み取る原稿画像の画像データを受け取って、あるいは、通信Ｉ／Ｆ６を介して外部ＰＣ９から印刷要求を受け付けて原稿画像の画像データを受け取って、ＣＰＵ１１により制御プログラム１２を実行処理する複写・印刷機能を備えている。このとき、画像形成装置１の制御部２は、複写・印刷機能の実行時に、原稿画像をそのままフルカラーで印刷するように画像データの印刷処理を実行するフルカラー印刷モード、または、原稿画像を黒と他の１色、例えば、青、赤、マゼンダ、シアンのいずれか１つの２色に減色して印刷するように画像データを加工する印刷処理を実行する２色印刷モードの一方を選択指定することができるようになっている。
【００１８】
また、この画像形成装置１は、制御部２がその原稿画像の複写・印刷（以下、単に印刷ともいう）要求と同時に予め準備されている、あるいは、外部ＰＣ９から入力される、例えば、「丸秘」、「社外秘」、「重要」などの文字や「※」などの記号の特定画像だけでなく任意に作成された図形も含む特定画像を、その原稿画像に追加する印刷要求を受け付けて、ＣＰＵ１１により制御プログラム１２を実行して画像形成するスタンプ印刷機能も備えている。すなわち、制御部２が割込処理部を構成している。
【００１９】
このとき、黒と青の２色印刷モードでスタンプ印刷機能が実行指示された場合に、例えば、図３（ａ）に示すように、黒色文字ＫＣ、青色文字ＢＣ、赤色文字ＲＣ、青色画像ＢＰ、赤色画像ＲＰを含む原稿画像のとき、特定青色文字（特定画像）ＢＣを追加したとする。しかしながら、図３（ｂ）に示すように、黒色文字ＫＣ、青色文字ＢＣおよび青色画像ＢＰはそのままであるが、赤色文字ＲＣと赤色画像ＲＰがそれぞれ青色文字ＢＣと青色画像ＢＰに変換されてしまって目立たなくなってしまう。
【００２０】
ところで、図３（ｃ）に示すように、青色はシアン（Ｃ）とマゼンダ（Ｍ）のトナーを混色させて発色させることから、例えば、マゼンダ（Ｍ）を主体にするトナーにより発色させる特定マゼンダ色文字（特定画像）ＭＣを追加形成することにより原稿画像から際立たせて目立たさせることができる。同様に、図示は省略するが、赤色はイエロー（Ｙ）とマゼンダ（Ｍ）のトナーを混色させて発色させることから、マゼンタ（Ｍ）を主体にするトナーにより発色させる特定マゼンタ色文字（特定画像）ＭＣを追加形成することにより原稿画像から際立たせて目立たさせることができる。また、緑色はシアン（Ｃ）とイエロー（Ｙ）のトナーを混色させて発色させることから、一方を主体にするトナーにより発色させる特定シアン色文字（特定画像）ＣＣや特定イエロー色文字（特定画像）ＹＣを追加形成することにより原稿画像から特定画像を際立たせて目立たさせることができる。なお、特定マゼンダ色文字ＭＣ、特定イエロー色文字ＹＣ、特定シアン色文字ＣＣまたは特定イエロー色文字ＹＣは、それぞれ主体にする１色のトナーで形成してもよいことは言うまでもない。
【００２１】
そこで、本実施形態の制御部２は、ＣＰＵ１１がＲＯＭ１３内の制御プログラム１２に従う制御処理を実行することにより、図４に示すように、印刷モード判定部２１、使用色材判定部２２、色設定部２３および色情報付加部２４を備えるスタンプ色設定部２０として機能するようになっている。以下には、外部ＰＣ９から「重要」という文字の特定画像を追加する原稿画像の印刷要求を受け付ける場合を一例にして説明する。なお、画像形成装置１自体で原稿画像に特定画像を追加するスタンプ印刷機能を２色印刷モード（複写印刷）で実行する場合にも同様に適用してもよく、後述する選択操作を操作パネル５で行なうようにすればよい。
【００２２】
まず、印刷モード判定部２１としては、その原稿画像（画像データ）の印刷要求と共に、その原稿画像に特定画像を追加するスタンプ印刷を受け付けたときに、フルカラー印刷モードまたは２色印刷モードのいずれであるかを判定する。使用色材判定部２２としては、その判定結果が２色印刷モードである場合には、原稿画像を印刷する色材情報を取得する。色設定部２３としては、２色印刷モードが選択されて黒の他に使用する１色が青または赤の場合には、取得した使用色材情報をどのように使用して特定画像を印刷するか利用者に設定してもらう後述の設定パネル５０を外部ＰＣ９に転送して不図示のモニタに表示出力させるとともに、その外部ＰＣ９で選択されたスタンプ印刷機能で印刷する特定画像の色情報（スタンプ色指定情報）を受け取る。色情報付加部２４としては、その選択された特定画像の色情報に基づいて、原稿画像に追加して印刷する特定画像の色材情報（後述の混色条件など）を印刷情報に付加する。
【００２３】
ここで、図５に示すように、その色設定部２３（制御部２、以下に同じ）が外部ＰＣ９に転送する設定パネル５０は、特定画像の追加位置、文字、そのフォント＆サイズ、囲みの有無などの入力と共に、色を指定する窓５１を有している。その色指定窓５１は、ダウンマーク５１ａをクリックすることにより選択可能に図６のドロップダウンメニュー５２を表示して、選択された選択色を表示する。このドロップダウンメニュー５２は、図６（ａ）に示すように、黒と青の２色印刷モードの場合には、「黒」、「水色（シアン）」、「青」、「ピンク（マゼンダ）」、「紫」、「任意」を選択可能な色として表示する。そのうちの「任意」が選択された場合には、図７に示すように、「シアン」と「マゼンダ」を混色させる程度（比率）などを指定する指定パネル５５を外部ＰＣ９に転送して不図示のモニタに表示出力させるとともに、その混色指定情報（スタンプ色指定情報）を受け取る。また、ドロップダウンメニュー５２は、図６（ｂ）に示すように、黒と赤の２色印刷モードの場合には、「黒」、「黄」、「赤」、「ピンク」、「オレンジ」、「任意」を選択可能な色として表示する。これにより、「重要」という文字の特定画像を原稿画像内で異なる色で印刷して際立って目立つようにすることができる。ところで、本実施形態では、特定画像を印刷する色を任意に指定できる場合を一例にして説明するが、２色印刷で使用される色材で再現可能な色、例えば、「水色」、「紫」や「マゼンダ」、「オレンジ」などと決めてスタンプ印刷処理をするようにしてもよい。なお、原稿画像をフルカラー印刷する場合のスタンプ印刷でも、同様の設定パネルから特定画像を形成する混色指定をすることができ、そのスタンプ色指定情報で原稿画像に追加する特定画像をスタンプ印刷する。
【００２４】
ところで、２色印刷モードが選択されて黒の他に使用する１色がシアンまたはマゼンダの場合には、取得した使用色材情報が色材色そのもので異なる色にすることができない。このことから、色設定部２３は、「重要」という特定画像をどのようなパターン形状（際立ち形状）にして原稿画像に追加するか利用者に選択設定してもらう後述のチェックボックス６１付きの一覧表６０を外部ＰＣ９に転送して不図示のモニタに表示出力させる。このときには、同様に、その外部ＰＣ９で選択されたスタンプ印刷機能で印刷する特定画像の色情報（スタンプ色情報）を受け取る。色情報付加部２４としては、その選択された特定画像の色情報（黒以外の１色）に基づいて、原稿画像に追加して印刷する特定画像の色材情報（同一色）を印刷情報に付加する。
【００２５】
ここで、図８に示すように、その色設定部２３が外部ＰＣ９に転送する一覧表６０は、原稿画像に応じて特定画像を際立たせるパターン形状をチェックボックス６１で選択可能に表示するとともに、さらに、枠の有無や影の有無もチェックボックス６１で選択可能に表示する。このパターン形状としては、例えば、図９に示すように、（１）中抜き／枠なし／影なし、（２）千鳥格子／枠なし／影なし、（３）千鳥格子／枠なし／影あり、（４）千鳥格子／枠あり／影あり、（５）ドット柄、（６）３Ｄ、などのように、特有の模様や輪郭を持つパターン形状で「重要」という文字の特定画像を同一色の原稿画像内でも際立って目立つようにすることができる。
【００２６】
これにより、画像形成装置１は、図１０のフローチャートに示す処理手順を実行して原稿画像から、例えば、重要という文字の特定画像を際立たさせて印刷することができ、その印刷物（複写の時には複写物）の取り扱いを利用者に効果的に認識させることができる。なお、本実施形態は２色印刷モードでスタンプ印刷する場合に適用するものであることから、以下では２色印刷モードを主にして説明する。
【００２７】
具体的には、まず、印刷モード判定部２１が外部ＰＣ９から原稿画像（画像データ）の印刷要求時にスタンプ印刷が選択された場合に２色印刷モードあるか否か判定して（ステップＳ１１）、２色印刷モードでない、すなわち、フルカラー印刷モードであると判定した場合には、使用色材判定部２２が使用可能な色材情報を取得する必要がないことから、色設定部２３はそのまま図５に示す設定パネル５０を外部ＰＣ９に転送してモニタ表示させる（ステップＳ１３）。その設定パネル５０の色指定窓５１には予め指定可能に赤を表示しておいた状態であり、この外部ＰＣ９の利用者により、特定画像の追加位置の指定入力、「重要」という文字入力、その「重要」文字のフォントやサイズや囲みの有無などの指定入力と共に、そのまま決定ボタン（ＯＫ）が入力されると（ステップＳ１４）、その特定画像の「重要」文字の印字色として赤色の色情報を取得する（ステップＳ１５）。
【００２８】
このステップＳ１４において、色の変更を希望する利用者が色指定窓５１のダウンマーク５１ａをクリックしたときには図６と同様のドロップダウンメニュー内に選択可能な色の一覧を表示した後のその利用者による「重要」文字の選択色の色情報を取得する。また、その一覧から「任意」が選択されたときには、図７と同様の指定パネルを外部ＰＣ９に転送してモニタ表示させて、その利用者により、「シアン」と「マゼンダ」と「イエロー」を混色させる比率などの指定入力された「重要」文字の指定混色情報（スタンプ色情報）を取得する。
【００２９】
この後に、色情報付加部２４がその取得色情報に基づいて、原稿画像に追加して印刷する特定画像の色材情報を印刷情報に付加して（ステップＳ１８）、原稿画像と特定画像の印刷処理に戻る。
また、ステップＳ１１において、印刷モード判定部２１が２色印刷モードと判定した場合には、続いて、原稿画像の印刷に黒の他に使用する１色が２つの色材を使用しているか否かを確認する（ステップＳ２１）。２色の色材を使用可能である場合には、使用色材判定部２２が原稿画像を印刷する黒以外の２色の色材情報を取得した後に（ステップＳ２２）、図５に示す設定パネル５０を外部ＰＣ９に転送してモニタ表示させる（ステップＳ２３）。その設定パネル５０の色指定窓５１には予め指定可能に赤を表示しておいた状態であり、この外部ＰＣ９の利用者により、特定画像の追加位置の指定入力、「重要」という文字入力、その「重要」文字のフォントやサイズや囲みの有無などの指定入力と共に、そのまま決定ボタン（ＯＫ）が入力されると（ステップＳ２４）、その特定画像の「重要」文字の印字色として赤色の色情報を取得する（ステップＳ２５）。
【００３０】
このステップＳ２４において、色の変更を希望する利用者が色指定窓５１のダウンマーク５１ａをクリックしたときには図６に示すドロップダウンメニュー内に選択可能な色の一覧を表示した後のその利用者による「重要」文字の選択色の色情報を取得する。また、その一覧から「任意」が選択されたときには、図７の指定パネル５５を外部ＰＣ９に転送してモニタ表示させて、その外部ＰＣ９の利用者により、「シアン」のみ、「マゼンダ」のみ、「マゼンダ」と「イエロー」を混色させる比率などの指定入力された「重要」文字の指定混色情報（スタンプ色情報）を取得する。
【００３１】
この後に、色情報付加部２４がその取得色情報に基づいて、原稿画像に追加して印刷する特定画像の色材情報を印刷情報に付加して（ステップＳ２８）、原稿画像と特定画像の印刷処理に戻る。
これにより、画像形成装置１は、原稿画像に追加される特定画像の「重要」文字を、その原稿画像と同じ色材を利用しつつ異なる色で形成することができ、原稿画像から際立たせて目立たせることができる。
【００３２】
また、ステップＳ１１、Ｓ２１において、印刷モード判定部２１が２色印刷モードと判定したが、原稿画像の印刷に黒の他に使用する１色が１つの色材のみである場合には、使用色材判定部２２が原稿画像を印刷する黒以外の１色の色材情報を取得した後に（ステップＳ３２）、図５に示す設定パネル５０を外部ＰＣ９に転送してモニタ表示させる（ステップＳ３３）。その設定パネル５０の色指定窓５１には、他を選択不能にステップＳ３２で取得した色材色（色材情報）を表示しておいた状態であり、この外部ＰＣ９の利用者により、特定画像の追加位置の指定入力、「重要」という文字入力、その「重要」文字のフォントやサイや囲みの有無などの指定入力と共に、そのまま決定ボタン（ＯＫ）が入力されると（ステップＳ３４）、その特定画像の「重要」文字の印字色として使用色材の色情報を取得する（ステップＳ３５）。
【００３３】
この後に、色設定部２３は、図８に示すチェックボックス６１付きの一覧表６０を外部ＰＣ９に転送してモニタ表示させ、そのチェックボックス６１で特定画像を形成するパターン形状が選択指定された後に不図示の決定ボタン（ＯＫ）が入力されると（ステップＳ３７）、色情報付加部２４が取得色情報と取得パターン形状情報に基づいて、原稿画像に追加して印刷する特定画像の色材情報とパターン形状情報を印刷情報に付加して（ステップＳ２８）、原稿画像と特定画像の印刷処理に戻る。
【００３４】
これにより、画像形成装置１は、原稿画像に追加される特定画像の「重要」文字を、特有の模様や輪郭を持つパターン形状で形成することができ、原稿画像から際立たせて目立たせることができる。
ここで、本実施形態では、原稿画像から特定画像を異なる色で形成する、あるいは、特有のパターン形状で形成する、いずれか一方の割込処理により際立たせる場合を一例にして説明するが、これに限るものではなく、双方を同時に実行してもよいことはいうまでもない。
【００３５】
また、本実施形態では、画像形成装置側で一連の処理を行う例について説明したが、本発明は、これに限定されるものではなく、ＰＣ９側で一連の処理を行うようにしてもよい。
さらに、これまで本発明の一実施形態について説明したが、本発明は上述の実施形態に限定されず、その技術的思想の範囲内において種々異なる形態にて実施されてよいことは言うまでもない。
【符号の説明】
【００３６】
１      画像形成装置
２      制御部
３      画像読取部
４      画像形成部
５      操作パネル
９      外部ＰＣ
１２    制御プログラム
２０    スタンプ色設定部
２１    印刷モード判定部
２２    使用色材判定部
２３    色設定部
２４    色情報付加部
５０    設定パネル
５１    色指定窓
５２    ドロップダウンメニュー
５５    指定パネル
６０    一覧表
Ｐ      記録用紙
【図１】
2012201084.tif 000003
【図２】
2012201084.tif 000004
【図３】
2012201084.tif 000005
【図４】
2012201084.tif 000006
【図５】
2012201084.tif 000007
【図６】
2012201084.tif 000008
【図７】
2012201084.tif 000009
【図８】
2012201084.tif 000010
【図９】
2012201084.tif 000011
【図１０】
2012201084.tif 000012